(57)【特許請求の範囲】
【請求項１】
複数台の給油機に対応して複数の区画に分割された給油状態と給油情報を表示するための表示領域を有するモニタリング画面を表示モニターに表示するとともに、前記給油機周辺の映像を得るビデオカメラの映像画面を前記表示モニターのモニタリング画面に重ねて選択的に表示し、前記モニタリング画面上のカーソル位置のスイッチ手段の操作により前記複数台の給油機を管理する給油監視装置において、
前記給油機の給油状態に応じて前記スイッチ手段による次の操作を行うためのカーソル位置にカーソルを移動させるカーソル位置制御手段と、前記スイッチ手段によるスイッチ操作を判定するスイッチ判定手段と、前記スイッチ判定手段の判定結果により、前記給油機に指令を出力する指令出力手段及び表示モニターに表示する画面を選択する表示画像選択手段とを有し、かつ前記カーソル位置制御手段は、前記給油機からの給油要求信号によりカーソルが前記ビデオカメラの映像画面を選択する位置に移動し、前記表示画像選択手段が前記ビデオカメラの映像画面を選択して前記モニタリング画面に重ねて表示することを特徴とする給油監視装置。
【発明の詳細な説明】
【０００１】
【発明が属する技術分野】
本発明は、給油所の複数台の給油機を含む多数の機器を集中管理する給油監視装置に関するものである。
【０００２】
【従来の技術】
従来、複数台の給油機を１台のディスプレイにより管理する制御装置として、例えば、特開平６−１６２７９３号公報には、複数の給油機に対応した複数の区画に分割されたタッチパネルにより給油機からの信号を表示させるとともに、タッチパネルからの信号に対応した指令を各給油機に出力する給油機制御装置に関する技術が開示されている。
【０００３】
【発明が解決しようとする課題】
しかしながら、従来の給油機制御装置では、タッチパネルにより各給油機を制御することができるが、１人のオペレータで給油許可を与えるときなどの各給油機の使用状態を監視するには不便であり、また、給油所における他の複数の機器を集中管理できるものではない。さらに、従来の多くの給油所では既にＰＯＳ端末が導入されているが、その端末を利用しながら将来のセルフサービスの運営に必要な機器を有機的に統合し１人のオペレータで集中管理できることが要望されている。
【０００４】
そこで本発明は、給油所の運営に必要な機器を１人のオペレータで集中管理でき、かつ操作性が向上できる給油監視装置を提供することを目的とする。
【０００５】
【課題を解決するための手段】
上記目的を達成するために、本発明の給油監視装置は、複数台の給油機に対応して複数の区画に分割された給油状態と給油情報を表示するための表示領域を有するモニタリング画面を表示モニターに表示するとともに、前記給油機周辺の映像を得るビデオカメラの映像画面を前記表示モニターのモニタリング画面に重ねて選択的に表示し、前記モニタリング画面上のカーソル位置のスイッチ手段の操作により前記複数台の給油機を管理する給油監視装置において、前記給油機の給油状態に応じて前記スイッチ手段による次の操作を行うためのカーソル位置にカーソルを移動させるカーソル位置制御手段と、前記スイッチ手段によるスイッチ操作を判定するスイッチ判定手段と、前記スイッチ判定手段の判定結果により、前記給油機に指令を出力する指令出力手段及び表示モニターに表示する画面を選択する表示画像選択手段とを有し、かつ前記カーソル位置制御手段は、前記給油機からの給油要求信号によりカーソルが前記ビデオカメラの映像画面を選択する位置に移動し、前記表示画像選択手段が前記ビデオカメラの映像画面を選択して前記モニタリング画面に重ねて表示することを特徴とするものである。表示モニターに表示されるモニタリング画面により、１人のオペレータが複数台の給油機を集中管理でき、かつカーソル位置制御手段が次の操作をするための位置に移動していることで、操作性が向上する。
【０００７】
【発明の実施の形態】
以下、本発明を図示の実施形態により具体的に説明する。図１は本発明の給油監視装置におけるコンピュータが奏すべき機能を示すブロック図、図２は本発明の給油監視装置を用いた給油所の一例を示す構成図、図３は本発明の給油監視装置の外観イメージを説明する斜視図である。
【０００８】
これらの図において、本実施形態の給油監視装置１０は、給油所に設けられる複数台の給油機１１，…、給油状況の監視のためのビデオカメラ１２及びインターフォン１３、タンク制御部１４、各種セキュリティセンサ１５、その他の機器１６、ＰＯＳ端末１７、プリンタ１８あるいは通信回線との接続により、給油所の運営に必要な機器を有機的に統合し１人のオペレータが集中管理できるものである。
【０００９】
図２に示すように、給油機１１は、例えば、ハイオクタンガソリン、レギュラーガソリンあるいは軽油等のいずれかを給油できる装置であり、その本体内にポンプモータ２１によって駆動される給油ポンプ２２が配置されている。この給油ポンプ２２は、その吸入口側が地下タンクに連通するパイプに接続され、その吐出口側が流量パルス発信器２３を有する流量計２４に接続されている。この流量計２４の出口側は、電磁バルブ７２を介して本体の側面に導出され、その部分に給油ホース２５の一端部が接続されている。この給油ホース２５の先端部には、給油ノズル２６が接続され、その給油ノズル２６が本体の側面に設けられたノズル掛け２７に着脱自在に掛けられるようになっている。ノズル掛け２７の近傍には、給油ノズル２６の脱着によりオン・オフするノズルスイッチ２８が設けられている。また、本体の内部には、ノズルスイッチ２８の信号あるいは後に説明する給油設定の信号によりポンプモータ２１及び電磁バルブ７２の動作を制御するとともに、流量パルス発信器２３から出力されるパルスにより流量を積算し、表示器２９の給油量の表示を制御する制御装置３０が設けられている。さらに、この制御装置３０と給油監視装置１０との間は、制御装置３０からノズルスイッチ２８のオン・オフ信号及び給油量に関する信号を給油監視装置１０へ転送し、また給油監視装置１０から給油装置１１を制御するための信号を制御装置３０へ転送するためのケーブル３１で接続されている。
【００１０】
ビデオカメラ１２は、使用される給油機１１周辺の映像を得るためのカメラであり、カメラ本体部１２ａと映像画面の切換機構１２ｂとを有する。このようなビデオカメラ１２は、各給油機１１毎に設けられていてもよいが、複数台の給油機１１のいずれかに向きを変えることができるようにしてもよい。したがって、切換機構１２ｂは、必要な部分の映像を得るためにカメラ本体部１２ａの向きを変えたり、ズームアップできる機構を含むものである。ビデオカメラ１２と給油監視装置１０との間は、ビデオカメラ１２の切換制御信号あるいは映像信号等を転送するためのケーブル３２で接続されている。また、インターフォン１３は、各給油機１１を使用する顧客とオペレータとの間の通話を可能とするものであり、例えば、各給油機１１の本体側面と事務所等のオペレータがいる近傍に通話部が設けられており、通話部を制御するための信号を転送するケーブル３３で給油監視装置１０と接続されている。
【００１１】
セキュリティセンサ１５は、火災検知、人間検知あるいはスプリンクラー作動等のために各所に設けられた安全検知用のセンサであり、検知信号を給油監視装置１０に転送するケーブル３４が設けられている。タンク制御部１４は、給油に必要な油を貯える地下タンク３７等の制御部であり、地下タンク３７は油面計や油の漏洩検知センサが設けられ、タンク制御部１４により油面や漏洩が検知され、その検知信号がケーブル３５により給油監視装置１０に転送される。また、タンク制御部３７と荷卸のための荷卸端末３８と間は、荷卸指示と荷卸データを転送するケーブル３９で接続されている。荷卸端末３８は、地下タンク３７の液面計に基づいてオーバーフロー等を防止するストップ弁４２を制御する。さらに、他の機器１６は、例えば、洗車機やアウトプットターミナル（ＯＰＴ）等であり、それぞれ給油監視装置１０との間に信号を伝達するケーブル３６で接続されている。
【００１２】
ＰＯＳ端末１７は、販売情報や仕入れ等の段階で発生する各種情報をそれぞれの目的に応じて利用できる情報に処理、加工する販売情報時点管理を行う端末であり、給油監視装置１０との間を情報伝送するためのケーブル４０で接続されている。プリンタ１８は、オーダーリストや各種データを印字するためのものであり、ＰＯＳ端末１７との間を印字データ転送のためのケーブル４１で接続されている。また、給油監視装置１０は、モデム等を介して通信回線と接続されており、オートダイヤル機能及びオートＦＡＸ機能により、在庫情報、荷卸情報の送信、モデムを介して映像情報等のマルチメディア情報の受信、本社等にビデオカメラの映像情報を送信するリモート監視、ホストコンピュータとの通信等の機能を備えている。
【００１３】
図３に示すように、給油所の事務所等には、１人のオペレータにより操作される給油監視装置１０が配置されており、デスク５１の下部には給油監視装置１０の中心部を構成するコンピュータ本体５２が配置され、デスク５１の上部には表示モニター５３とマウス５４が配置されている。また、給油監視装置１０近傍に隣接してデスク５５が配置され、その上部にはＰＯＳ端末１７が配置され、その下部にはプリンタ１８が配置されている。同図において、符号５６はキャッシュドロアーである。
【００１４】
給油監視装置１０は、そのコンピュータ本体５２に実現すべき機能を備えており、図１に示すように、データ制御手段６１、記憶手段６２、ビデオ切換制御手段６３、ビデオデータ制御手段６４、インターフォン制御手段６５、表示画面選択手段６６、スイッチ判定手段６７、カーソル位置制御手段６８、表示駆動手段６９、指令出力手段７０、販売データ送受信手段７１及び通信制御手段７３等から構成される。
【００１５】
データ制御手段６１は、複数台の給油機１１，…の制御装置３０からケーブル３１を介して送信されてくるノズルスイッチのオン・オフ信号及び給油量データ等、セキュリティセンサ１５からケーブル３４を介して送信されてくる検出信号、タンク制御部１４で検出される油面データ、漏洩検知信号及び荷卸端末３８から送信されてくる荷卸データ、他の機器１６から送信されてくるデータを取り込み、そのデータを必要により記憶手段６２に格納し、また各部に指示を与えたりデータを送信する部分である。記憶手段６２は、各種の処理を行うためのプログラムを格納したり、上述の取り込まれたデータを一時的に格納したり、表示モニター５２に表示すべき基本画面等の画像データあるいはその基本画面に表示するシンボルや文字等の画像データを格納している部分である。ビデオ切換制御手段６３は、マウス５３のクリックによるスイッチ判定部６７の判定結果によりビデオカメラ１２の切換機構１２ｂを制御するための画面切換信号をケーブル３２ａを介して出力する部分である。ビデオデータ制御手段６４は、ビデオカメラ１２のカメラ本体部１２ａからケーブル３２ｂを介して送信されてくる映像データを取り込み、表示画像選択手段６６に送信する部分である。インターフォン制御手段６５は、使用中の給油機１１に設けられているインターフォン１３と通話を可能にするための制御信号をケーブル３３を介して送信する部分である。表示画像選択手段６６は、スイッチ判定手段６７からの判定結果あるいはデータ制御手段６１の制御の元に、表示モニター５３に表示すべき画像データを選択する部分である。スイッチ判定手段６７は、マウス５４のクリックによるスイッチ操作を判定する部分である。カーソル位置制御手段６８は、給油機１１を含む外部の機器の状態、あるいは各種のセンサの検出信号に基づいて、次に操作するスイッチ動作のためのカーソル位置に移動させる部分である。表示駆動手段６９は、表示画像選択手段６６で選択された画像を表示モニター５３に表示させる部分である。指令出力手段７０は、スイッチ判定手段６７の判定結果に基づいて、給油機１１へ給油許可あるいは緊急停止を指示する部分である。販売データ送受信手段７１は、給油機１１の給油量等に関する販売データをケーブル４０を介してＰＯＳ端末１７に転送したり、ＰＯＳ端末１７の給油設定に関する情報をブル４０を介して給油監視装置１０に転送する部分である。通信制御手段７３は、モデム等により通信回線に接続し通信を制御する部分である。
【００１６】
次に、給油監視装置１０の表示モニター５３に表示される画面例を説明する。図４乃至図７は本発明の給油監視装置の画面例を示す図であり、図４は基本画面を示す図、図５は給油機のモニタリング画面を示す図、図６は油面計画面を示す図、図７はＰＯＳモード画面を示す図である。
【００１７】
表示モニター５３に表示される画面は、複数の情報を同時に表示するものであり、基本画面は図４に示すように、複数台の給油機１１，…の給油状態と給油情報を表示するための給油機モニタリング画面８１と、各機器のステイタス表示あるいはモード切換スイッチを表示するための機器ステイタス表示画面８２とから構成されている。
【００１８】
給油機モニタリング画面８１は、表示モニター５３の表示画面が、給油機１１，…に対応させてその給油状態と給油情報を表示するために複数の区画に分割されており、各区画には各給油機１１の機械番号を表示する領域８１ａと、レギュラーガソリン、ハイオクタンガソリンあるいは軽油等の油の種類を表示する領域８１ｂと、給油状態を示すシンボル等を表示する領域８１ｃと、給油量を表示する領域８１ｄとを有する。この給油機モニタリング画面８１の表示例では、機械番号が１番〜１２番の１２台の給油機１１，…に対応して、１２個の区画に分割され、それぞれの区画の各領域に機械番号や油の種類が表示されている。なお、図４の表示例では、給油機１１，…のいずれも使用されていないため、給油状態を示すシンボル等を表示する領域８１ｃや給油量を表示する領域８１ｄには何も表示されていない。
【００１９】
機器ステイタス表示画面８２は、各機器の状態表示あるいはモード切換スイッチを表示する画面であり、給油機モニタリング画面８１の下部が複数の区画に区分されており、それぞれの領域にステイタスを代表するシンボルあるいは文字等が表示されている。この機器ステイタス表示画面８２は、例えば、販売データをＰＯＳ端末１７へ転送するときに使用するＰＯＳ等の文字を表示した領域８２ａ、給油機の給油を停止するときに使用する停止シンボルを表示した領域８２ｂ、ビデオカメラの映像表示に切換えるときに使用するカメラのシンボルを表示した領域８２ｃ、インターフォンの通話状態に切換えるときに使用するインターフォンのシンボルを表示した領域８２ｄ、地下タンクの在庫不足を表示するためのタンクのシンボルを表示した領域８２ｅ、セキュリティセンサ１５からの検出を知らせる文字を表示した領域８２ｆ及びオートダイヤルの使用を示す電話のシンボルを表示した領域８２ｇを有する。基本画面は、記憶手段６２に格納されている画像データをデータ制御手段６１で読み出し、表示画面選択手段６６及び表示駆動手段６９を介して表示モニター５２に表示されるようになっている。
【００２０】
給油機のモニタリング画面８１は図５に示すように、使用中の給油機に対応する区画に必要な情報が表示される。例えば、給油機モニタリング画面８１において、ハイオクタンガソリンを給油する機械番号５番の給油機は、給油ノズルが外されて給油要求が出されている状態で領域８１ｃに給油ノズルの外れを示すシンボルが表示され、軽油を給油する機械番号３番の給油機は、給油中で領域８１ｃに給油ノズルの給油中を示すシンボルと給油途中の給油量が領域８１ｄに表示され、レギュラーガソリンを給油する機械番号１番の給油機は、給油が終了し領域８１ｃのシンボルは表示されず、領域８１ｄに給油量が表示されている。給油機１１の給油ノズル２６の脱着によるノズルスイッチ２８のオン・オフ信号及び給油データは、制御装置３０からケーブル３１を介してデータ制御手段６１で取り込まれ、必要により記憶装置６２に格納され、表示画像選択手段６６は各給油機１１からの情報に基づいてデータ制御手段６１に記憶手段６２に格納されているシンボルデータあるいは給油量データを読み出させ、そのデータを表示駆動手段６９を介して表示モニター５３の基本画面の対応する給油機１１の区画の所定領域に表示する。また、給油機モニタリング画面８１の上に重ねてビデオカメラの映像を表示する映像画面８３と、給油が終了した給油機の精算表示画面８４とが表示される。映像画面８３は、例えば、給油ノズル２６が外されて給油要求が出されたときに、自動的にその給油機の周辺の映像を動画として表示され、給油監視装置１０を操作するオペレータが給油許可を与えるために、給油ノズル２６が正しく使用されているか等を監視することができるようになっている。精算表示画面８４は、給油が終了した給油機の給油量、単価、支払い金額を表示し、同時にカーソル位置が次の精算処理のためのスイッチ位置に移動している。図５の精算表示画面８４では、機械番号１番の給油機の給油量、給油単価、支払い金額が表示され、かつカーソルが自動的に次の処理を行うための精算スイッチ位置に移動している。すなわち、ノズルスイッチ２８がオンになった場合、あるいはマウス５４により映像表示に切換える領域８２ｃをクリックした場合に、ビデオ切換制御手段６３がビデオカメラ１２の切換機構１２ｂに画面切換の信号をケーブル３２ａを介して出力し、ビデオデータ制御手段６３がビデオカメラ１２のカメラ本体部１２ａからケーブル３２ｂを介して送信されてくる映像データを取り込み、表示画像選択手段６６が映像データを選択して表示駆動手段６９を介して表示モニター５３の給油機モニタリング画面８１の上に重ねて映像画面８３を表示する。また、データ制御手段６１は、給油機の給油終了を判断し記憶手段６２に記憶されている給油データ及び表示に必要なデータを読み出し、表示画像選択手段６６及び表示駆動手段６９を介して表示モニター５３の給油機モニタリング画面８１及び映像画面８３の上に重ねて精算表示画面８４が表示される。
【００２１】
次に、機器ステイタス表示画面８２のタンクのシンボルを表示した領域８２ｅが点滅したときには、地下タンク３７の在庫不足を知らせており、その領域８２ｅをマウスでクリックすると、図６に示すように、基本画面の右側に重ねて油面計画面８５が表示される。すなわち、地下タンク３７の在庫状況のデータは、タンク制御部１４からケーブル３５を介して転送され、データ制御手段６１により取り込まれ、記憶手段６２に記憶されており、在庫不足を生じたときに、表示画像選択手段６６及び表示駆動手段６９により、表示モニター５３に表示される機器ステイタス表示画面８２の領域８２ｅが点滅表示され、同時にカーソル位置制御手段６８によりカーソル位置が油面計画面８５に切換処理のスイッチ操作を行うための領域８２ｅに移動する。そして、マウス５４のクリックによりスイッチを押すと、スイッチ判定手段６７がスイッチ操作を判定し、記憶手段６２に記憶されている地下タンク３７の在庫情報に関する情報を、データ制御手段６１が読み出し、表示画像選択手段６６及び表示駆動手段５３により油面計画面８５として表示モニター５３に表示される。この油面計画面８５は、全ての地下タンク３７の在庫状況をタンクの表示とその液面位置で表示している。図６に示す油面計画面８５では、８個の地下タンク３７のうち第５番目の地下タンクが在庫不足を示し、その位置にカーソルが移動している。
【００２２】
また、機器ステイタス表示画面８２のＰＯＳの領域８２ａをマウス５４でクリックしたときには、図７に示すように基本画面の右側に重ねてＰＯＳモード画面８６が表示される。このＰＯＳモード画面８６では、例えば、燃料油販売状況が時系列のグラフ等により表示されている。すなわち、ＰＯＳの領域８２ａをマウス５４でクリックしたときに、スイッチ判定手段６７がスイッチを判定し、その判定結果により表示画像選択手段６６が記憶手段６２に記憶されている販売データをデータ制御手段６１に読み出させ、表示駆動手段６９を介して表示モニター５２の給油機モニタリング画面８１の上に重ねてＰＯＳモード画面８６を表示する。
【００２３】
次に、給油機及び給油監視装置の動作例をフローチャートにより説明する。図８は本発明の給油機及び給油監視装置の料金後払いの動作を説明するフローチャート、図９は本発明の給油機及び給油監視装置の料金先払い動作を説明するフローチャートである。
【００２４】
料金後払いの場合には、図８に示すように、給油を希望する顧客が給油機１１に来て、給油ノズル２６をノズル掛け２７から外してノズルスイッチ２８がオンになると（ＳＴ１）、制御装置３０から給油要求信号が出力され（ＳＴ２）、この給油要求信号がケーブル３１を介して給油監視装置１０に転送される。給油監視装置１０は、給油要求信号をデータ制御手段６１で取り込むとともに、表示画像選択手段６６がデータ制御手段６１に記憶手段６２に格納されている給油要求表示のシンボルのデータを読み出させ、そのデータを表示駆動手段６９を介して表示モニター５３に表示する給油要求表示モードになる。この給油表示モードでは、例えば、図５に示す給油機モニタリング画面８１の機械番号５番の区画に表示されているように、その領域８１ｃに給油ノズル外れを示すシンボルが表示される。また、カーソル位置制御手段６８には、給油要求信号が与えられ、その状態を判断して次の給油許可を与える操作のためにカーソルの位置を給油要求があった機械番号の区画に移動させる。同時にビデオ切換制御手段６３は、最初の給油要求信号が与えられると、ビデオカメラ１２の切換機構１２ｂに画面切換の信号をケーブル３２ａを介して出力し、カメラ本体部１２ａからケーブル３２ｂを介して送信されてくる映像データをビデオデータ制御手段６３が取り込み、表示画像選択手段６６が映像データを選択して表示駆動手段６９を介して表示モニター５３の給油機モニタリング画面８１の上に重ねて映像画面８３を表示する。
【００２５】
次に、オペレータは、ノズル外れのシンボルが表示されている区画に対応する給油機１１から給油要求があったことを知り、その映像画面８３を見ながら、すでにカーソル位置が給油要求のあった給油機の区画に移動している状態でマウス５４を操作して給油許可のためにマウススイッチをオンする。これによりスイッチ判定手段６７は、マウススイッチオンを判断してその判断結果を指令出力手段７０に出力し、続いて指令出力手段７０は給油許可信号を出力する（ＳＴ３）。このとき、給油監視装置１０は、表示画像選択手段６６がデータ制御手段６１に記憶手段６２に格納されている給油許可信号表示のシンボルのデータを読み出させ、そのデータを表示駆動手段６９を介して表示モニター５３に表示する給油許可信号表示モードになる。この給油許可信号表示モードでは、例えば、図５に示す給油機モニタリング画面８１の機械番号３番の区画に表示されているように、その領域８１ｃに給油ノズルの給油中を示すシンボルが表示される。ただし、給油レバーが操作されない段階では領域８１ｄに給油量の表示がされない。
【００２６】
次に、給油機監視装置１０から給油許可信号が給油機１１側に転送されてきたとき、制御装置３０は、表示器２９を帰零し、電磁バルブ７２を開き、ポンプモータ２１をオンする（ＳＴ４）。続いて、給油レバーを引いて給油を開始すると、制御装置３０は、流量パルス発信器２３からのパルス信号を積算して給油量を算出し、表示器２９に表示する。この給油量に関するデータは、ケーブル３１を介して給油監視装置１０に転送され、そのデータがデータ制御手段６１により取り込まれ、表示画像選択手段６６がその給油データを選択して表示駆動手段６９により表示モニター５３に表示する給油中表示モードになる。この給油中表示モードでは、例えば、図５に示す給油機モニタリング画面８１の機械番号３番の区画に表示されているように、その領域８１ｃに給油ノズルの給油中を示すシンボルが表示され、同時に給油中の給油量が領域８１ｄに表示される。
【００２７】
次に、給油機１１において所定量の給油が終了し、給油ノズル２６がノズル掛け２７に戻され、ノズルスイッチ２８がオフになると（ＳＴ５）、制御装置３０は、電磁バルブ７２を閉じ、ポンプモータ２１をオフし（ＳＴ６）、同時に給油終了信号を出力する。この給油終了信号は、ケーブル３１を介して給油監視装置１０に転送される。給油監視装置１０は、給油終了信号をデータ制御手段６１が取り込み、給油量データを記憶手段６２に格納するとともに給油終了を判断し、それにより表示画像選択手段６６が表示駆動手段６９により表示モニター５３の表示が給油終了表示モードになる。この給油終了表示モードでは、例えば、図５に示す給油機モニタリング画面８１の機械番号１番の区画に表示されているように、その領域８１ｃの給油中を示すシンボルが消え、給油量が領域８１ｄに表示され、同時に精算表示画面８４が表示され、またカーソル位置制御手段６８の制御の元にカーソルが次の精算の操作をするための位置に移動している。次に、給油を終了した顧客が事務所等に来て料金を支払ったときに、オペレータが精算処理のカーソル位置でマウス５４をクリックすると精算信号が出力され（ＳＴ７）、続いて記憶手段６２に格納されている給油データがデータ制御手段６１で読み出され、販売データ送受信手段７１により、給油データがケーブル４０を介してＰＯＳ端末１７へ転送される（ＳＴ８）。ＰＯＳ端末１７では、給油データがプリンタ１８によりプリントアウトされる（ＳＴ９）。
【００２８】
次に、料金先払いの場合には、図９に示すように、顧客が給油前に料金の支払を済ませたとき、オペレータがＰＯＳ端末１７で給油設定を行う（ＳＴ１１）。この給油設定は、例えば、顧客が要求する油の種類や給油量等の販売データに関する設定であり、この販売データはＰＯＳ端末１７からケーブル４０を介して給油監視装置１０に転送され、必要により記憶手段６２に一時的に格納される。次に、顧客が給油機１１に来て、給油ノズル２６がノズル掛け２７から外されてノズルスイッチ２８がオンになると（ＳＴ１２）、制御装置３０から給油要求信号が出力され（ＳＴ１３）、この給油要求信号がケーブル３１を介して給油監視装置１０に転送される。給油監視装置１０は、オペレータが給油要求信号に対してマウス５４をクリックすることで、給油許可信号を出力し（ＳＴ１４）するとともに、料金先払いの販売データを出力する。給油機１１は、制御装置３０が給油許可信号を受信することで、表示器２９が帰零され、電磁バルブ７２が開き、ポンプモータ２１がオンする（ＳＴ１５）。続いて給油レバーを引いて給油を開始すると、制御装置３０は、流量パルス発信器２３からのパルス信号を積算して給油量を算出し、表示器２９に表示し、またこの給油データは給油監視装置１０側に転送される。そして、給油量がＰＯＳ端末１７で給油設定した給油量に到達すると（ＳＴ１６）、制御装置３０は、電磁バルブ７２を閉じ、ポンプモータ２１をオフする（ＳＴ１７）。次に、給油ノズル２６がノズル掛け２７に掛けられると、制御装置３０から終了信号が出力され、その終了信号がケーブル３１を介して給油監視装置１０に転送され、給油が終了したことが知らされる。給油監視装置１０側の各給油状態における表示モニター５３における表示は、前記の料金後払いの各給油状態の表示と同様である。
【００２９】
なお、オペレータが給油途中で危険を感じてマウス５４を操作して、給油機の給油を停止するときに使用する停止シンボルを表示した領域８２ｂをクリックしてマウススイッチオンすると、スイッチ判断手段６７は、表示画像選択手段６６が記憶手段６２に記憶されている緊急停止の表示データをデータ制御手段６１に読み出させ、表示駆動手段６９により表示モニター５３に表示する給油停止信号表示モードになる。この給油停止信号表示モードでは、例えば、図５に表示される停止シンボルを表示した領域８２ｂが点滅し、給油中の給油機を個別にあるいは一斉停止を選択できる表示になる。給油機１１の制御装置３０では、給油監視装置１０から給油停止信号を受信したとき、作動中のポンプモータ２１をオフして給油を中断する。
【００３０】
次に、安全が確認されて給油監視装置１０の表示モニター５３に表示されている給油機モニタリング画面８１の給油中であった給油機の区画をマウス５４でスイッチオンすると、スイッチ判断手段６７は給油再開許可であると判断して指令出力手段７０に給油再開信号を出力させるとともに、給油再開信号表示モードになる。この給油再開信号表示モードは、給油中のシンボルを表示する給油中表示モードと同様である。給油機１０の制御装置３０は、給油再開信号を受信すると表示器２９を帰零させることなく再びポンプモータ２１をオンし、停止前の給油量に今回の給油量を積算しながら給油を開始する。
【００３１】
上記構成の給油監視装置１０によれば、給油所の全ての給油機１１，…の給油状態と給油情報が給油機モニタリング画面８１として表示され、またビデオカメラ１２による給油機周辺の映像がモニタリング画面８１に重ねて選択的に表示されているため、オペレータは表示モニター５３の画面を見ながら、給油要求に対する給油許可、給油中の監視、給油終了時の精算処理及び緊急停止等の操作を簡単に行うことができる。また、通常のマウス操作では、オペレータがカーソル位置を必要な場所に移動させなければならないが、本装置ではカーソル位置制御手段６８により次の操作をするためのカーソル位置に自動的に移動しているため、マウス５４のスイッチ操作だけで進めることができ操作性が向上する。さらに、給油監視装置１０には、各所に設けられたセキュリティセンサ１５、タンク制御部１４、他の機器１６等の給油所の運営に必要な機器に接続され、表示モニター５３のモニタリング画面８１に加えて機器ステイタス表示画面８２が表示されることで、例えば、セキュリティセンサ１５が火災や異常を検知したとき自動的に電話をかけるオートダイヤル機能を使用したり、タンク制御部１４から送信されてくる地下タンク液面状態や漏洩警告を知ることができる。また、タンク制御部１４に接続される荷卸端末３８により、不正荷卸、オバーフロー等の異常時の記録ができる。また、本実施形態の給油監視装置１０は、標準的なパーソナルコンピュータ本体を採用し、かつ既存のＰＯＳ端末１７に接続することができるため、将来の給油所のセルフサービス化への移行を低価格で行うことができる。
【００３２】
なお、上記実施形態の表示モニター５３に表示される給油機モニタリング画面８１及び機器ステイタス表示画面８２は例示であり、給油機の台数や他の機器の種類等により任意に変更することができる。また、マウス５４のクリックにより操作する例を説明したが、その他のスイッチ手段を使用することができる。
【００３３】
【発明の効果】
以上説明したように本発明の給油監視装置では、給油所の全ての給油機の給油状態と給油情報を給油機モニタリング画面として表示し、ビデオカメラによる給油機周辺の映像をモニタリング画面に重ねて選択的に表示し、また次の操作をするためのカーソル位置に自動的に移動していることで、オペレータは画面を見ながら、給油要求に対する給油許可、給油中の監視、給油終了時の精算処理及び緊急停止等の操作を簡単に行うことができる。
【図面の簡単な説明】
【図１】本発明の給油監視装置におけるコンピュータが奏すべき機能を示すブロック図である。
【図２】本発明の給油監視装置を用いた給油所の一例を示す構成図である。
【図３】本発明の給油監視装置の外観イメージを説明する斜視図である。
【図４】本発明の給油監視装置の基本画面を示す図である。
【図５】本発明の給油監視装置の給油機のモニタリング画面を示す図である。
【図６】本発明の給油監視装置の油面計画面を示す図である。
【図７】本発明の給油監視装置のＰＯＳモード画面を示す図である。
【図８】本発明の給油機及び給油監視装置の料金後払いの動作を説明するフローチャートである。
【図９】本発明の給油機及び給油監視装置の料金先払い動作を説明するフローチャートである。
【符号の説明】
１０  給油監視装置
１１  給油機
１２  ビデオカメラ
１３  インターフォン
１４  タンク制御部
１５  セキュリティセンサ
１６  他の機器
１７  ＰＯＳ端末
１８  プリンタ
２１  ポンプモータ
２２  給油ポンプ
２３  流量パルス発信器
２４  流量計
２５  給油ホース
２６  給油ノズル
２７  ノズル掛け
２８  ノズル掛け
２９  表示器
３０  制御装置
３１，３２，３３，３４，３５，３６，３９，４０，４１  ケーブル
３７  地下タンク
３８  荷卸端末
４２  オーバーフローストップバルブ
５１，５５  デスク
５２  コンピュータ本体
５３  表示モニター
５４  マウス
６１  データ制御手段
６２  記憶手段
６３  ビデオ切換制御手段
６４  ビデオデータ制御手段
６５  インターフォン制御手段
６６  表示画像選択手段
６７  スイッチ判定手段
６８  カーソル位置制御手段
６９  表示駆動手段
７０  指令出力手段
７１  販売データ送受信手段
７２  電磁バルブ
７３  通信制御手段
８１  給油機モニタリング画面
８２  機器ステイタス表示画面
８３  映像画面
８４  精算表示画面
８５  油面計画面
８６  ＰＯＳモード画面
【図１】
0003622801.tif 000002
【図２】
0003622801.tif 000003
【図３】
0003622801.tif 000004
【図４】
0003622801.tif 000005
【図５】
0003622801.tif 000006
【図６】
0003622801.tif 000007
【図７】
0003622801.tif 000008
【図８】
0003622801.tif 000009
【図９】
0003622801.tif 000010